(57)【要約】無線通信環境において、複数のＩＰアドレスを備えたノードのインターネット・プロトコル（ＩＰ）アドレスを、アドレス転送を用いて取得することを容易にするシステムおよび方法が記載される。無線通信構成要素は、以前に登録され、ノードに対応するＩＰアドレスを、認証、課金、および許可／ホーム加入者サーバ（ＡＡＡ／ＨＳＳ）から取得しうる。さらに、ドメイン・ネーム・サーバ（ＤＮＳ）のリバース・クエリ、およびＤＮＳのフォワード・クエリが実行されうる。リバース・クエリは、ノードについて以前に登録されたＩＰアドレスに基づいて構成され、（例えばストリングのような）ネームを決定しうる。さらに、このネームに基づいてフォワード・クエリが生成され、このノードの、別のＩＰアドレスを返しうる。
2011521496.tif 000002
【特許請求の範囲】
【請求項１】
ノードについて以前に登録された、第１の機能のためのインターネット・プロトコル（ＩＰ）アドレスを、認証、課金、および許可／ホーム加入者サーバ（ＡＡＡ／ＨＳＳ）から取得することと、
前記ノードについて以前に登録されたＩＰアドレスに基づいて構築されたドメイン・ネーム・サーバ（ＤＮＳ）のリバース・クエリを実行し、前記リバース・クエリがネームを決定することと、
前記ネームに基づいて生成されたＤＮＳのフォワード・クエリに応じて、第２の機能のために適用される、前記ノードのための別のＩＰアドレスを受け取ることと
を備える方法。
【請求項２】
前記以前に登録されたＩＰアドレスまたは前記別のＩＰアドレスのうちの少なくとも１つはＩＰｖ４アドレスであり、前記ＩＰｖ４アドレスは、フォワード・クエリのためのＡリソース・レコードによって前記ＤＮＳ内で表される請求項１に記載の方法。
【請求項３】
前記以前に登録されたＩＰアドレスまたは前記別のＩＰアドレスのうちの少なくとも１つはＩＰｖ６アドレスであり、前記ＩＰｖ６アドレスは、フォワード・クエリのためのＡＡＡＡリソース・レコードによって前記ＤＮＳ内で表される請求項１に記載の方法。
【請求項４】
２より多くのＩＰアドレスが前記ノードに関連付けられている場合、前記第２の機能に対応する予め定められたプレフィクスのセットから、予め定められた特定のプレフィクスを選択することと、
前記リバース・クエリに応じて、前記ＤＮＳから共通のネームを受信することと、
前記予め定められた特定のプレフィクスと前記共通のネームとを含めるように、前記フォワード・クエリを構築することと
をさらに備える請求項１に記載の方法。
【請求項５】
前記ノードは、パケット・データ・ネットワーク・ゲートウェイである請求項１に記載の方法。
【請求項６】
前記第１の機能は、モバイル・デバイスによる第１のタイプのアクセスに関連して適用され、前記第２の機能は、前記モバイル・デバイスによる第２のタイプのアクセスに関連して利用される請求項１に記載の方法。
【請求項７】
前記別のＩＰアドレスを用いて前記ノードと通信することをさらに備える請求項１に記載の方法。
【請求項８】
非３ＧＰＰゲートウェイにおいて、前記ＡＡＡ／ＨＳＳから、パケット・データ・ネットワーク・ゲートウェイ（ＰＤＮ  ＧＷ）の制御プレーンＩＰアドレスを取得することと、
前記非３ＧＰＰゲートウェイによって、前記制御プレーンＩＰアドレスに応じて生成されたＤＮＳのリバース・クエリを実行することと、
前記非３ＧＰＰゲートウェイにおいて、前記ＤＮＳのフォワード・クエリに応じて、前記ＰＤＮ  ＧＷのためのユーザ・プレーンＩＰアドレスを受信することと
をさらに備える請求項１に記載の方法。
【請求項９】
モビリティ管理エンティティ（ＭＭＥ）において、前記ＡＡＡ／ＨＳＳから、パケット・データ・ゲートウェイ（ＰＤＮ  ＧＷ）のユーザ・プレーンＩＰアドレスを取得することと、
前記ＭＭＥによって、前記ユーザ・プレーンＩＰアドレスに応じて生成されたＤＮＳのリバース・クエリを実行することと、
前記ＭＭＥにおいて、前記ＤＮＳのフォワード・クエリに応じて、前記ＰＤＮ  ＧＷのための制御プレーンＩＰアドレスを受信することと
をさらに備える請求項１に記載の方法。
【請求項１０】
前記制御プレーンＩＰアドレスを用いて、汎用パケット無線システム（ＧＰＲＳ）トンネリング・プロトコル（ＧＴＰ）ベアラを初期化することをさらに備える請求項９に記載の方法。
【請求項１１】
無線通信装置であって、
認証、課金、および許可／ホーム加入者サーバ（ＡＡＡ／ＨＳＳ）に保持されて格納されており、無線通信ネットワーク内のノードに対応したインターネット・プロトコル（ＩＰ）アドレスに基づいてリバース・クエリを構築し、
ネームを決定するために、前記リバース・クエリを、ドメイン・ネーム・サーバ（ＤＮＳ）へ送信し、
前記ネームに基づいてフォワード・クエリを生成し、
前記ノードに対応する別のＩＰアドレスを決定するために、前記フォワード・クエリを前記ＤＮＳへ送信する
ように構成された少なくとも１つのプロセッサを備える無線通信装置。
【請求項１２】
前記ＡＡＡ／ＨＳＳから、前記ノードに対応する格納されたＩＰアドレスを収集するように構成された少なくとも１つのプロセッサをさらに備える請求項１１に記載の無線通信装置。
【請求項１３】
前記格納されたＩＰアドレスは、第１の機能に関連付けられており、前記別のＩＰアドレスは、第２の機能に関連付けられている請求項１１に記載の無線通信装置。
【請求項１４】
前記ノードに２より多くのＩＰアドレスが関連付けられている場合、前記第２の機能に対応する予め定められたプレフィクスのセットから、予め定められた特定のプレフィクスを識別し、
前記リバース・クエリに応じて、前記ＤＮＳから、共通のネームを取得し、
前記予め定められた特定のプレフィクスと前記共通のネームとを含めるように、前記フォワード・クエリを生成する
ように構成された少なくとも１つのプロセッサをさらに備える請求項１３に記載の無線通信装置。
【請求項１５】
前記格納されたＩＰアドレスまたは前記別のＩＰアドレスのうちの少なくとも１つはＩＰｖ４アドレスであり、前記ＩＰｖ４アドレスは、フォワード・クエリのためのＡリソース・レコードによって前記ＤＮＳ内で表される請求項１１に記載の無線通信装置。
【請求項１６】
前記以前に登録されたＩＰアドレスまたは前記別のＩＰアドレスのうちの少なくとも１つはＩＰｖ６アドレスであり、前記ＩＰｖ６アドレスは、フォワード・クエリのためのＡＡＡＡリソース・レコードによって前記ＤＮＳ内で表される請求項１１に記載の無線通信装置。
【請求項１７】
ノードの、取得されたインターネット・プロトコル（ＩＰ）アドレスに基づいて生成されたドメイン・ネーム・サーバ（ＤＮＳ）のリバース・クエリに応じて、ストリングを取得する手段と、
前記ストリングに基づいて生成されたＤＮＳのフォワード・クエリに応じて、前記ノードの別のＩＰアドレスを受信する手段と
を備える装置。
【請求項１８】
認証、課金、および許可／ホーム加入者サーバ（ＡＡＡ／ＨＳＳ）から取得したＩＰアドレスを収集する手段をさらに備える請求項１７に記載の装置。
【請求項１９】
前記フォワード・クエリは、前記ストリングおよび予め定められたプレフィクスに基づいて生成される請求項１７に記載の装置。
【請求項２０】
前記ノードは、パケット・データ・ネットワーク・ゲートウェイである請求項１７に記載の装置。
【請求項２１】
前記ノードの、取得されたＩＰアドレスは、制御プレーンＩＰアドレスであり、前記ノードの別のＩＰアドレスは、ユーザ・プレーンＩＰアドレスである請求項１７に記載の装置。
【請求項２２】
前記ユーザ・プレーンＩＰアドレスは、非３ＧＰＰゲートウェイで受信される請求項２１に記載の装置。
【請求項２３】
前記ノードの、取得されたＩＰアドレスは、ユーザ・プレーンＩＰアドレスであり、前記ノードの別のＩＰアドレスは、制御プレーンＩＰアドレスである請求項１７に記載の装置。
【請求項２４】
前記制御プレーンＩＰアドレスは、モビリティ管理エンティティ（ＭＭＥ）において受信される請求項２３に記載の装置。
【請求項２５】
前記ＭＭＥは、ベアラを構成するために制御プレーンＩＰアドレスを使用する請求項２４に記載の装置。
【請求項２６】
コンピュータ読取可能媒体を備えるコンピュータ・プログラム製品であって、
前記コンピュータ読取可能媒体は、
少なくとも１つのコンピュータに対して、ノードについて以前に登録された、第１の機能のために利用されるインターネット・プロトコル（ＩＰ）アドレスを、認証、課金、および許可／ホーム加入者サーバ（ＡＡＡ／ＨＳＳ）から収集させるためのコードと、
少なくとも１つのコンピュータに対して、ネームを決定するために、前記以前に登録されたＩＰアドレスに応じて生成されたリバース・クエリを、ドメイン・ネーム・サーバ（ＤＮＳ）へ送信させるためのコードと、
少なくとも１つのコンピュータに対して、第２の機能のために使用される別のＩＰアドレスを決定するために、前記ネームに応じて生成されたフォワード・クエリを前記ＤＮＳへ送信させるためのコードと
を備えるコンピュータ・プログラム製品。
【請求項２７】
前記コンピュータ読取可能媒体はさらに、
少なくとも１つのコンピュータに対して、非３ＧＰＰゲートウェイにおいて、パケット・データ・ネットワーク・ゲートウェイ（ＰＤＮ  ＧＷ）の制御プレーンＩＰアドレスを、前記ＡＡＡ／ＨＳＳから収集させるためのコードと、
少なくとも１つのコンピュータに対して、前記制御プレーンＩＰアドレスに応じて、前記リバース・クエリを生成させるためのコードと、
少なくとも１つのコンピュータに対して、前記非３ＧＰＰゲートウェイにおいて、前記フォワード・クエリに応じて、前記ＤＮＳからユーザ・プレーンＩＰアドレスを受信させるためのコードと
を備える請求項２６に記載のコンピュータ・プログラム製品。
【請求項２８】
前記コンピュータ読取可能媒体はさらに、
少なくとも１つのコンピュータに対して、モビリティ管理エンティティ（ＭＭＥ）において、前記ＡＡＡ／ＨＳＳから、パケット・データ・ネットワーク・ゲートウェイ（ＰＤＮ  ＧＷ）のユーザ・プレーンＩＰアドレスを収集させるためのコードと、
少なくとも１つのコンピュータに対して、前記ユーザ・プレーンＩＰアドレスに応じて、前記リバース・クエリを生成させるためのコードと、
少なくとも１つのコンピュータに対して、前記ＭＭＥにおいて、前記フォワード・クエリに応じて、前記ＤＮＳから制御プレーンＩＰアドレスを受信させるためのコードと
を備える請求項２６に記載のコンピュータ・プログラム製品。
【請求項２９】
認証、課金、および許可／ホーム加入者サーバ（ＡＡＡ／ＨＳＳ）から、ネットワーク・ノードに対応する、登録されたインターネット・プロトコル（ＩＰ）アドレスを収集するアドレス取得構成要素と、
前記ネットワーク・ノードに対応する別のＩＰアドレスを生成するために、前記登録されたＩＰアドレスを入力として用いて、ドメイン・ネーム・サーバ（ＤＮＳ）に問い合わせをするアドレス・クエリ構成要素と、
前記ネットワーク・ノードのための別のＩＰアドレスを含めるように、前記ＡＡＡ／ＨＳＳＳを更新する登録構成要素と
を備える装置。
【請求項３０】
前記アドレス・クエリ構成要素はさらに、
ネームを決定するために、前記登録されたＩＰアドレスに基づいて、前記ＤＮＳのリバース・クエリを実行するリバース・クエリ構成要素と、
前記ネットワーク・ノードに対応する別のＩＰアドレスを返すために、前記ネームを入力として用いて、前記ＤＮＳのフォワード・クエリを実行するフォワード・クエリ構成要素と
を備える請求項２９に記載の装置。
【発明の詳細な説明】
【優先権主張】
【０００１】
本願は、２００８年３月２１日に出願され“ＭＥＴＨＯＤ  ＡＮＤ  ＳＹＳＴＥＭ  ＴＯ  ＥＮＡＢＬＥ  ＡＤＤＲＥＳＳ  ＲＥＤＩＲＥＣＴＩＯＮ  ＦＯＲ  ＮＯＤＥＳ  ＷＩＴＨ  ＭＵＬＴＩＰＬＥ  ＩＮＴＥＲＮＥＴ  ＰＲＯＴＯＣＯＬ  ＡＤＤＲＥＳＳＥＳ  ＩＮ  Ａ  ＷＩＲＥＬＥＳＳ  ＮＥＴＷＯＲＫ”と題され、本願の譲受人に譲渡され、本明細書において参照によって明確に組み込まれている仮出願６１／０３８，５１４の優先権を主張する。
【技術分野】
【０００２】
以下の記載は、一般に無線通信に関し、さらに詳しくは、無線通信環境におけるノードの機能に対応するインターネット・プロトコル（ＩＰ）アドレスの発見に関する。ここで、ノードは、複数のインターネット・プロトコル・アドレスに関連付けられる。
【背景技術】
【０００３】
無線通信システムは、例えば、音声、データ等のようなさまざまなタイプの通信コンテンツを提供するために広く開発された。一般的な無線通信システムは、利用可能なシステム・リソース（例えば、帯域幅、送信電力等）を共有することにより、複数のユーザとの通信をサポートすることができる多元接続システムでありうる。そのような多元接続システムの例は、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム等を含む。さらに、これらシステムは、例えば、第３世代パートナシップ計画（３ＧＰＰ）、３ＧＰＰロング・ターム・イボリューション（ＬＴＥ）、ウルトラ・モバイル・ブロードバンド（ＵＭＢ）、および／または、例えばイボリューション・データ・オプティマイズド（ＥＶ−ＤＯ）のようなマルチ・キャリア無線仕様、あるいはこれら技術の１または複数の改訂技術等に準拠しうる。
【０００４】
通常、無線多元接続通信システムは、複数のモバイル・デバイスのための通信を同時にサポートすることができる。おのおののモバイル・デバイスは、順方向リンクおよび逆方向リンクによる送信を介して、１または複数の基地局と通信することができる。順方向リンク（すなわち、ダウンリンク）は、基地局からモバイル・デバイスへの通信リンクを称し、逆方向リンク（すなわち、アップリンク）は、モバイル・デバイスから基地局への通信リンクを称する。さらに、モバイル・デバイスと基地局との間の通信は、単一入力単一出力（ＳＩＳＯ）システム、複数入力単一出力（ＭＩＳＯ）システム、複数入力複数出力（ＭＩＭＯ）システム等によって確立されうる。さらに、モバイル・デバイスは、ピア・ツー・ピア無線ネットワーク構成で、他のモバイル・デバイスと（および／または基地局が他の基地局と）通信することができる。
【０００５】
基地局はさらに、コア・ネットワークのさまざまなノードと直接的あるいは間接的に通信することができる。例えば、コア・ネットワークのノードは、１または複数のパケット・データ・ネットワーク・ゲートウェイ（ＰＤＮ  ＧＷ）、１または複数のサービス提供ゲートウェイ（ＳＧＷ）、１または複数のモビリティ管理エンティティ（ＭＭＥ）、１または複数の認証、課金および許可／ホーム加入者サーバ（ＡＡＡ／ＨＳＳ）等を含みうる。
【０００６】
いくつかのシナリオでは、コア・ネットワーク内のあるノード（例えばＰＤＮ  ＧＷ）は、複数のインターネット・プロトコル（ＩＰ）アドレスを使用することができる。所与のノード（例えばＰＤＮ  ＧＷ）に対応する複数のＩＰアドレスの各々は、所与のノードによってサポートされている異なる機能または機能のセットによって使用されうるか、あるいはこれら機能または機能のセットのために使用されうる。したがって、所与のノードとの通信を試みる外部エンティティ（例えば、異種のノード、構成要素、ゲートウェイ、ＭＭＥ）は、特定の機能に関する１つのＩＰアドレスを知ることができるが、所与のノードに関連付けられた１または複数の別のＩＰアドレスを知らないこともありうる。ここで、１または複数の別のＩＰアドレスはそれぞれ、１または複数の別の機能に対応する。
【発明の概要】
【０００７】
以下は、１または複数の態様の基本的な理解を与えるために、そのような態様の簡略化された概要を示す。この概要は、考えられるすべての態様の広範囲な概観ではなく、すべての態様の重要要素や決定的要素を特定することも、何れかまたは全ての態様のスコープを線引きすることも意図されていない。その唯一の目的は、後に示されるより詳細な記載に対する前置きとして、簡略化された形式で１または複数の態様のいくつかの概念を表すことである。
【０００８】
１または複数の実施形態および対応する開示によれば、さまざまな態様が、無線通信環境において、複数のＩＰアドレスを備えたノードのインターネット・プロトコル（ＩＰ）アドレスを、アドレス転送（redirection）を用いて取得することに関連して記載される。無線通信構成要素は、認証、課金、および許可／ホーム加入者サーバ（ＡＡＡ／ＨＳＳ）から、ノードに対応し以前に登録されたＩＰアドレスを取得しうる。さらに、ドメイン・ネーム・サーバ（ＤＮＳ）のリバース・クエリ（reverse query）と、ＤＮＳのフォワード・クエリ（forward query）とが実行されうる。リバース・クエリは、ノードについて以前に登録されたＩＰアドレスに基づいて構築され、ネーム（例えば、ストリング）を決定しうる。さらに、フォワード・クエリが、ネームに基づいて生成され、ノードの別のＩＰアドレスを返す。
【０００９】
関連する態様によれば、本明細書では、方法が記載される。この方法は、認証、課金、および許可／ホーム加入者サーバ（ＡＡＡ／ＨＳＳ）から、ノードについて以前に登録されたインターネット・プロトコル（ＩＰ）アドレスを取得することを含む。以前に登録されたＩＰアドレスは、第１の機能のために利用される。さらに、この方法は、ノードについて以前に登録されたＩＰアドレスに基づいて構築されたドメイン・ネーム・サーバ（ＤＮＳ）のリバース・クエリを実行することを含みうる。リバース・クエリは、ネームを決定する。さらに、この方法は、このネームに基づいて生成されたＤＮＳのフォワード・クエリに応答して、ノードのための別のＩＰアドレスを受け取ることを備えうる。別のＩＰアドレスは、第２の機能のために適用される。
【００１０】
別の態様は、無線通信装置に関する。この無線通信装置は、少なくとも１つのプロセッサを含みうる。この少なくとも１つのプロセッサは、無線通信ネットワーク内のノードに対応する格納されたインターネット・プロトコル（ＩＰ）アドレスに基づいて、リバース・クエリを構築するように構成されうる。格納されたＩＰアドレスは、認証、課金、および許可／ホーム加入者サーバ（ＡＡＡ／ＨＳＳ）に保持される。さらに、少なくとも１つのプロセッサは、ネームを決定するために、ドメイン・ネーム・サーバ（ＤＮＳ）へリバース・クエリを送信するように構成されうる。さらに、少なくとも１つのプロセッサは、このネームに基づいてフォワード・クエリを生成するように構成されうる。少なくとも１つのプロセッサは、さらに、このノードに対応する別のＩＰアドレスを決定するために、フォワード・クエリをＤＮＳへ送信するように構成されうる。
【００１１】
また、別の態様は、無線通信装置に関する。この無線通信装置は、ノードの、取得されたインターネット・プロトコル（ＩＰ）アドレスに基づいて生成されたドメイン・ネーム・サーバ（ＤＮＳ）のリバース・クエリに応答して、ストリングを取得する手段を含みうる。さらに、この無線通信装置は、ストリングに基づいて生成されたＤＮＳのフォワード・クエリに応答して、ノードの別のＩＰアドレスを取得する手段を含みうる。
【００１２】
また別の態様は、コンピュータ読取可能媒体を備えるコンピュータ・プログラム製品に関する。このコンピュータ読取可能媒体は、少なくとも１つのコンピュータに対して、認証、課金、および許可／ホーム加入者サーバ（ＡＡＡ／ＨＳＳ）から、ノードについて以前に登録されたインターネット・プロトコル（ＩＰ）アドレスを収集させるためのコードを含みうる。以前に登録されたＩＰアドレスは、第１の機能のために利用される。さらに、このコンピュータ読取可能媒体は、少なくとも１つのコンピュータに対して、ネームを決定するために、ドメイン・ネーム・サーバ（ＤＮＳ）へ、以前に登録されたＩＰアドレスに応じて生成されたリバース・クエリを送信させるためのコードを含みうる。さらに、コンピュータ読取可能媒体は、少なくとも１つのコンピュータに対して、第２の機能のために使用される別のＩＰアドレスを決定するために、ネームに応じて生成されたフォワード・クエリをＤＮＳへ送信させるためのコードを備えうる。
【００１３】
他の態様は、認証、課金、および許可／ホーム加入者サーバ（ＡＡＡ／ＨＳＳ）から、ネットワーク・ノードに対応する登録されたインターネット・プロトコル（ＩＰ）アドレスを収集するアドレス取得構成要素を含む装置に関する。この装置はさらに、ネットワーク・ノードに対応する別のＩＰアドレスを生成するために、登録されたＩＰアドレスを入力として用いて、ドメイン・ネーム・サーバ（ＤＮＳ）へ問い合わせるアドレス・クエリ構成要素を含みうる。さらに、この装置は、ネットワーク・ノードのための別のＩＰアドレスを含めるようにＡＡＡ／ＨＳＳを更新する登録構成要素を含みうる。
【００１４】
前述した目的および関連する目的を達成するために、１または複数の実施形態は、後に十分に記載され、特許請求の範囲において特に指摘されている特徴を備える。次の記載および添付図面は、１または複数の態様のある例時的な特徴を詳細に記載する。しかしながら、これらの特徴は、さまざまな態様の原理が適用されるさまざまな方式のうちの極く一部しか示しておらず、本説明は、そのような態様およびそれらの均等物の全てを含むことが意図されている。
【図面の簡単な説明】
【００１５】
【図１】図１は、本明細書に記載されたさまざまな態様にしたがう無線通信システムの実例である。
【図２】図２は、無線通信環境において、複数のＩＰアドレスを備えたノードのためのアドレス転送をサポートするシステムの実例である。
【図３】図３は、無線通信環境において、アドレス転送を利用するシステムの実例である。
【図４】図４は、共通のネットワーク・ノードのために複数のＩＰアドレスを使用することを例示するシステムの実例である。
【図５】図５は、無線通信環境において、ノードのＩＰアドレス（単数または複数）の特定を容易にする無線通信構成要素を含むシステムの実例である。
【図６】図６は、無線通信環境において、複数のＩＰアドレスを備えたノードのインターネット・プロトコル（ＩＰ）アドレスを取得することを容易にする方法の実例である。
【図７】図７は、無線通信環境内におけるネットワーク構成要素（例えば、ノード）に関連付けられたインターネット・プロトコル（ＩＰ）アドレス情報を更新することを容易にする方法の実例である。
【図８】図８は、無線通信環境において２より多くのＩＰアドレスを含むノードのインターネット・プロトコル（ＩＰ）アドレスを認識することを容易にする方法の実例である。
【図９】図９は、本明細書に記載されたさまざまなシステムおよび方法と共に適用されうる無線ネットワーク環境の実例である。
【図１０】図１０は、無線通信環境において複数のＩＰアドレスを備えたノードのためにインターネット・プロトコル（ＩＰ）アドレスを転送することを可能にするシステムの実例である。
【発明を実施するための形態】
【００１６】
さまざまな態様が、図面を参照して記載される。以下の記載では、説明の目的のために、１または複数の態様の完全な理解を提供するために、多くの具体的な詳細が述べられる。しかしながら、そのような態様は、これら具体的な詳細無しで実現されうることが明確である。
【００１７】
本願で使用されるように、用語「構成要素」、「モジュール」、「システム」等は、ハードウェア、ファームウェア、ハードウェアとソフトウェアとの組み合わせ、ソフトウェア、あるいは実行中のソフトウェアのうちの何れかであるコンピュータ関連エンティティを含むことが意図されている。例えば、構成要素は、限定される訳ではないが、プロセッサ上で実行中のプロセス、プロセッサ、オブジェクト、実行形式、実行スレッド、プログラム、および／またはコンピュータでありうる。例示によれば、コンピュータ・デバイス上で実行中のアプリケーションと、コンピュータ・デバイスとの両方が構成要素になりえる。１または複数の構成要素は、プロセスおよび／または実行スレッド内に存在し、構成要素は、１つのコンピュータに局在化されるか、および／または、複数のコンピュータに分散されうる。さらに、これらの構成要素は、さまざまなデータ構造を格納したさまざまなコンピュータ読取可能媒体から実行可能である。これら構成要素は、（例えば、信号によってローカル・システムや分散システム内の他の構成要素とインタラクトする１つの構成要素からのデータ、および／または、他のシステムを備えた例えばインターネットのようなネットワークを介して他の構成要素とインタラクトする１つの構成要素からのデータのような）１または複数のデータのパケットを有する信号にしたがって、ローカル処理および／またはリモート処理によって通信することができる。
【００１８】
さらに、本明細書では、さまざまな態様が、有線端末または無線端末でありうる端末と関連して開示される。端末は、システム、デバイス、加入者ユニット、加入者局、移動局、モバイル、モバイル・デバイス、遠隔局、遠隔端末、アクセス端末、ユーザ端末、端末、通信デバイス、ユーザ・エージェント、ユーザ・デバイス、またはユーザ機器（ＵＥ）とも称されうる。無線端末は、セルラ電話、衛星電話、コードレス電話、セッション初期化プロトコル（ＳＩＰ）電話、無線ローカル・ループ（ＷＬＬ）局、携帯情報端末（ＰＤＡ）、無線接続機能を有するハンドヘルド・デバイス、コンピュータ・デバイス、あるいは無線モデムに接続されたその他の処理デバイスでありうる。さらに、本明細書では、さまざまな態様が、基地局に関して記載される。基地局は、無線端末と通信するために利用することができ、アクセス・ポイント、ノードＢ、イボルブド・ノードＢ（ｅＮｏｄｅ  Ｂ、ｅＮＢ）、あるいはその他のいくつかの用語で称されうる。
【００１９】
さらに、用語「または」は、排他的な「または」ではなく、包括的な「または」を意味することが意図されている。すなわち、別に示されていない場合、あるいは、文脈から明らかではない場合、「ＸはＡまたはＢを適用する」という句は、自然な包括的な置き換えのうちの何れかを意味することが意図されている。すなわち、「ＸはＡまたはＢを使用する。」という句は、以下の例のうちの何れによっても満足される。ＸはＡを使用する。ＸはＢを使用する。あるいは、ＸはＡとＢとの両方を使用する。さらに、本願および特許請求の範囲で使用されているような冠詞“ａ”および“ａｎ”は、特に指定されていない場合、あるいは、単数を対象としていることが文脈から明らかではない場合、一般に、「１または複数」を意味するものと解釈されるべきである。
【００２０】
本明細書に記述された技術は、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム、シングル・キャリア周波数分割多元接続（ＳＣ−ＦＤＭＡ）システム、およびその他のシステムのようなさまざまな無線通信システムに使用することができる。「システム」、「ネットワーク」という用語はしばしば置換可能に使用される。ＣＤＭＡシステムは、例えばユニバーサル地上ラジオ・アクセス（ＵＴＲＡ）、ＣＤＭＡ２０００等のようなラジオ技術を実現することができる。ＵＴＲＡは、広帯域ＣＤＭＡ（Ｗ−ＣＤＭＡ）およびＣＤＭＡのその他の変形を含んでいる。さらに、ＣＤＭＡ２０００は、ＩＳ−２０００規格、ＩＳ−９５規格、およびＩＳ−８５６規格をカバーする。ＴＤＭＡシステムは、例えばグローバル移動体通信システム（ＧＳＭ（登録商標））のような無線技術を実現することができる。ＯＦＤＭＡシステムは、例えばイボルブドＵＴＲＡ（Ｅ−ＵＴＲＡ）、ウルトラ・モバイル・ブロードバンド（ＵＭＢ）、ＩＥＥＥ  ８０２．１１（Ｗｉ−Ｆｉ）、ＩＥＥＥ  ８０２．１６（ＷｉＭＡＸ）、ＩＥＥＥ  ８０２．２０、フラッシュ−ＯＦＤＭ（登録商標）等のような無線技術を実現することができる。ＵＴＲＡおよびＥ−ＵＴＲＡは、ユニバーサル・モバイル・テレコミュニケーション・システム（ＵＭＴＳ）の一部である。３ＧＰＰロング・ターム・イボリューション（ＬＴＥ）は、ダウンリンクではＯＦＤＭＡを適用し、アップリンクではＳＣ−ＦＤＭＡを適用するＥ−ＵＴＲＡを用いるＵＭＴＳのリリースである。ＵＴＲＡ、Ｅ−ＵＴＲＡ、ＵＭＴＳ、ＬＴＥ、およびＧＳＭは、「第３世代パートナシップ計画プロジェクト」（３ＧＰＰ）と命名された組織からのドキュメントに記述されている。さらに、ＣＤＭＡ２０００とＵＭＢは、「第３世代パートナシップ計画２」（３ＧＰＰ２）と命名された組織からのドキュメントに記載されている。さらに、そのような無線通信システムは、アンペア（ｕｎｐａｉｒｅｄ）な無許可のスペクトルをしばしば用いるピア・トゥ・ピア（例えば、モバイル・トゥ・モバイル）アド・ホック・ネットワーク・システム、８０２．ｘｘ無線ＬＡＮ、Ｂｌｕｅｔｏｏｔｈ（登録商標）、および、その他任意の短距離または長距離の無線通信技術を含みうる。
【００２１】
シングル・キャリア周波数分割多元接続（ＳＣ−ＦＤＭＡ）は、シングル・キャリア変調および周波数ドメイン等値化を用いる。ＳＣ−ＦＤＭＡは、ＯＦＤＭＡシステムと類似の性能を有し、本質的に全体的に同等の複雑さを有する。ＳＣ−ＦＤＭＡ信号は、その固有のシングル・キャリア構造により、より低いピーク対平均電力比（ＰＡＰＲ）を有する。ＳＣ−ＦＤＭＡは、例えば、より低いＰＡＰＲが送信電力効率の観点からアクセス端末に非常に役立つアップリンク通信で使用されうる。したがって、ＳＣ−ＦＤＭＡは、３ＧＰＰロング・ターム・イボリューション（ＬＴＥ）すなわちイボルブドＵＴＲＡにおけるアップリンク多元接続性スキームとして実施されうる。
【００２２】
本明細書に記載されたさまざまな態様または特徴は、標準的なプログラミング技術および／またはエンジニアリング技術を用いた方法、装置、または製造物品として実現されうる。本明細書で使用される用語「製造物品」は、任意のコンピュータ読取可能デバイス、キャリア、または媒体からアクセスすることが可能なコンピュータ・プログラムを含むことが意図される。例えば、コンピュータ読取可能媒体は、限定される訳ではないが、磁気記憶装置（例えば、ハード・ディスク、フロッピー（登録商標）ディスク、磁気ストリップ等）、光ディスク（例えば、コンパクト・ディスク（ＣＤ）、ＤＶＤ等）、スマート・カード、およびフラッシュ・メモリ・デバイス（例えば、ＥＰＲＯＭ、カード、スティック、キー・ドライブ等）を含みうる。さらに、本明細書に記載されたさまざまな記憶媒体は、情報を格納するための１または複数のデバイス、および／または、その他の機械読取可能媒体を表すことができる。用語「機械読取可能媒体」は、限定されることなく、無線チャネル、および、命令群および／またはデータを格納、包含、および／または搬送することができるその他任意の媒体を含みうる。
【００２３】
図１に示すように、本明細書に記載されたさまざまな実施形態にしたがった無線通信システム１００が例示されている。システム１００は、複数のアンテナ・グループを含むことができる基地局１０２を含む。例えば、１つのアンテナ・グループは、アンテナ１０４およびアンテナ１０６を含むことができ、別のグループはアンテナ１０８およびアンテナ１１０を備えることができ、さらに別のグループはアンテナ１１２およびアンテナ１１４を含むことができる。おのおののアンテナ・グループについて２つのアンテナしか例示されていないが、２本のアンテナが各アンテナ・グループのために例示されているが、２本より多いアンテナ、または２本より少ないアンテナも、各グループのために利用されうる。基地局１０２はさらに、送信機チェーンおよび受信機チェーンを含みうる。それらおのおのは、当業者によって理解されるように、信号の送信および受信に関連する複数の構成要素（例えば、プロセッサ、変調器、マルチプレクサ、復調器、デマルチプレクサ、アンテナ等）を備えうる。
【００２４】
基地局１０２は、例えばモバイル・デバイス１１６およびモバイル・デバイス１２２のような１または複数のモバイル・デバイスと通信することができる。しかしながら、基地局１０２は、モバイル・デバイス１１６およびモバイル・デバイス１２２に類似した実質的に任意の数のモバイル・デバイスと通信しうることが理解されるべきである。モバイル・デバイス１１６、１２２は例えば、セルラ電話、スマート・フォン、ラップトップ、ハンドヘルド通信デバイス、ハンドヘルド・コンピュータ・デバイス、衛星ラジオ、全地球測位システム、ＰＤＡ、および／または、無線通信システム１００を介して通信するのに適切なその他任意のデバイスでありうる。図示するように、モバイル・デバイス１１６は、アンテナ１１２およびアンテナ１１４と通信している。ここで、アンテナ１１２およびアンテナ１１４は、順方向リンク１１８によってアクセス端末１１６へ情報を送信し、逆方向リンク１２０によってアクセス端末１１６から情報を受信する。さらに、モバイル・デバイス１２２はアンテナ１０４およびアンテナ１０６と通信している。ここで、アンテナ１０４およびアンテナ１０６は、順方向リンク１２４でアクセス端末１２２へ情報を送信し、逆方向リンク１２６でアクセス端末１２２から情報を受信する。周波数分割デュプレクス（ＦＤＤ）システムでは、例えば、順方向リンク１１８は、逆方向リンク１２０によって使用されるものとは異なる周波数帯域を使用し、順方向リンク１２４は、逆方向リンク１２６によって使用されるものとは異なる周波数帯域を使用することができる。さらに、時分割デュプレクス（ＴＤＤ）システムでは、順方向リンク１１８および逆方向リンク１２０は、共通の周波数帯域を使用し、順方向リンク１２４および逆方向リンク１２６は、共通の周波数帯域を使用することができる。
【００２５】
通信するように指定された領域および／またはアンテナのおのおののグループは、基地局１０２のセクタと称されうる。例えば、基地局１０２によってカバーされる領域のセクタ内のアクセス端末に通信するように、複数のアンテナが設計されうる。順方向リンク１１８および順方向リンク１２４による通信では、基地局１０２の送信アンテナは、アクセス端末１１６およびアクセス端末１２２のための順方向リンク１１８および順方向リンク１２４の信号対雑音比を改善するためにビームフォーミングを適用することができる。また、基地局１０２が、関連付けられた有効通信範囲にランダムに散在したモバイル・デバイス１１６、１２２に送信するためにビームフォーミングを利用している間、近隣セル内のモバイル・デバイスは、すべてのモバイル・デバイスに対して単一のアンテナによって送信している基地局に比べて、少ない干渉しか被らない。
【００２６】
基地局１０２は、３ＧＰＰアクセス・ネットワーク、非３ＧＰＰアクセス・ネットワーク、それらの組み合わせ等に関連付けられうる。例によれば、モバイル・デバイス（例えば、モバイル・デバイス１１６、モバイル・デバイス１２２）は、基地局１０２を経由して３ＧＰＰアクセス・ネットワークに接続しうる。モバイル・デバイスはその後、非３ＧＰＰアクセス・ネットワークに接続するために、別の基地局（図示せず）へハンドオーバしうる。別の例によれば、モバイル・デバイス（例えば、モバイル・デバイス１１６、モバイル・デバイス１２２）は、基地局１０２を経由して非３ＧＰＰアクセス・ネットワークへ接続し、（例えば、別の基地局である基地局１０２を介して）３ＧＰＰアクセス・ネットワークへハンドオーバしうる。さらなる例によれば、モバイル・デバイス（例えば、モバイル・デバイス１１６、モバイル・デバイス１２２）は、共通の基地局１０２を経由して３ＧＰＰアクセスと非３ＧＰＰアクセスとの間をハンドオーバしうる。しかしながら、権利主張される主題は、前述した例に限定されないことが認識されるべきである。
【００２７】
モバイル・デバイス１１６、１２２は、異なるインタフェースにおいて、異なるモビリティ・プロトコルを利用することができる。例えば、モバイル・デバイス１１６、１２２が、３ＧＰＰアクセスにある間、ネットワーク・ベースのモビリティ（例えば、汎用パケット無線システム（ＧＰＲＳ）トンネリング・プロトコル（ＧＴＰ）、プロキシ・モバイル・インターネット・プロトコル（ＰＭＩＰ））が使用されうる。さらに、クライアント・ベースのモビリティ（例えば、モバイル・インターネット・プロトコル（ＭＩＰ））またはネットワーク・ベースのモビリティ（例えば、ＰＭＩＰ）は、モバイル・デバイス１１６、１２２が、非３ＧＰＰアクセスにある場合に利用されうる。
【００２８】
これらのプロトコルの終了ポイント（例えばアンカ・ポイント）は、（図示しない）パケット・データ・ネットワーク・ゲートウェイ（ＰＤＮ  ＧＷ、ＰＧＷ）でありうる。さらに、モバイル・デバイス１１６、１２２にサービス提供するＰＤＮ  ＧＷのインターネット・プロトコル（ＩＰ）アドレスは、（図示しない）認証、課金、および許可／ホーム加入者サーバ（ＡＡＡ／ＨＳＳ）において格納されうる。ＡＡＡ／ＨＳＳにおいて保持されたＩＰアドレスは、所与の時間においてモバイル・デバイス１１６、１２２のおのおのにサービス提供する各ＰＤＮ  ＧＷを識別するために利用される。しかしながら、（例えば、別のボードは、別のプロコトルを実装するので）ＰＤＮ  ＧＷは、制御プレーン（ＣＰ）およびユーザ・プレーン（ＵＰ）のために異なるＩＰアドレスを有しうる。例えば、制御プレーンは、一般に、プライベート・ドメイン・ネーム・サーバ（ＤＮＳ）を用いて、他のネットワーク・エンティティに利用可能なプライベート・アドレスを導入しうる。さらなる例によれば、ユーザ・プレーン・アドレスは、一般に、公的に利用可能なアドレスであって、公的なＤＮＳ（例えば、ホーム・エージェント（ＨＡ）ＩＰアドレス）内に存在しうる。共通のＰＤＮ  ＧＷにおのおの関連付けられている異なるＩＰアドレスを用いると、従来のシナリオの下では、問題が生じる。しかしながら、システム１００は、典型的な技術において一般に遭遇するこのような欠点を、ネームに対して知られているＩＰアドレスを決定するためにＤＮＳ内のリバース・ルックアップを適用することによって、および、（例えばＰＤＮ  ＧＷのような）同じノードの異なるＩＰアドレスを決定するためにこのネームを利用することによって、緩和しうる。
【００２９】
図２に移って、無線通信環境において、複数のＩＰアドレスを備えたノードのためのアドレス転送をサポートするシステム２００が例示される。システム２００は、無線通信構成要素２０２、認証、課金、および許可／ホーム加入者サーバ（ＡＡＡ／ＨＳＳ）２０４、およびドメイン・ネーム・サーバ（ＤＮＳ）２０６を含む。無線通信構成要素２０２は、例えば、ゲートウェイ（例えば非３ＧＰＰゲートウェイ（非３ＧＰＰ  ＧＷ））（あるいはそれらの一部）、モビリティ管理エンティティ（ＭＭＥ）（あるいはそれらの一部）、あるいは、無線通信環境においてＩＰアドレスを取得、識別、および／または登録するその他の実質的に任意の無線通信構成要素でありうる。
【００３０】
ＤＮＳ２０６は、公的なＤＮＳ、ネットワーク・オペレータのＤＮＳ、これらの組み合わせ等でありうる。別の例によれば、ＤＮＳ２０６は、複数のドメイン・ネーム・サーバを含みうる。さらに、ＤＮＳ２０６は、無線通信構成要素２０２（例えば非３ＧＰＰ  ＧＷ、ＭＭＥ）によって利用可能かつ到達可能である。
【００３１】
ネットワーク・ノード（例えば、ネットワーク・エンティティ、ＰＤＮ  ＧＷ）（図示せず）は、通信のために２つ以上のＩＰアドレスを利用しうる。ネットワーク・ノードによって使用される２つ以上のＩＰアドレスは、例えばＩＰｖ４アドレス（単数または複数）および／またはＩＰｖ６アドレス（単数または複数）でありうる。一例として、第１のＩＰアドレス（例えば１０．１．２．３）が、ネットワーク・ノードに関連付けられた制御プレーン機能のために使用され、第２のＩＰアドレス（例えば２０．４．５．６）が、ネットワーク・ノードに関連付けられたユーザ・プレーン機能のために利用されうる。しかしながら、権利主張される主題は、前述した例に限定されないことが認識されるべきである。むしろ、任意の数のＩＰアドレスが、ネットワーク・ノードに関連付けられ、任意のＩＰアドレスが、特許請求の範囲のスコープ内にあることが意図される。
【００３２】
無線通信構成要素２０２は、ネットワーク・ノードに関連付けられたＩＰアドレスのサブセットを、保持、識別等しうる。例えば、無線通信構成要素２０２は、ＡＡＡ／ＨＳＳ２０４から、ネットワーク・ノードに対応するＩＰアドレスを取得するアドレス取得構成要素２０８を含みうる。アドレス取得構成要素２０８を用いて取得されたＩＰアドレスは、第１の機能（例えば第１のプロトコル）に関連付けられうる。例によれば、第１の機能に対応するネットワーク・ノードのＩＰアドレスは、ＡＡＡ／ＨＳＳ２０４に格納されうる（例えば、モバイル・デバイスによって利用される第１のモビリティ・プロトコルに基づいてＡＡＡ／ＨＳＳ２０４において登録される）。しかしながら、アドレス取得構成要素２０８によってＡＡＡ／ＨＳＳ２０４から取得されたそのようなＩＰアドレスは、第２の機能（例えば、第２のプロトコル）のために利用されるべきネットワーク・ノードの別のＩＰアドレスとは異なりうる。前述の例によれば、モバイル・デバイスは、アクセス・タイプ間（例えば、３ＧＰＰアクセスと非３ＧＰＰアクセスとの間）を遷移するので、第２のモビリティ・プロトコルを適用することに切り換わりうる。
【００３３】
無線通信構成要素２０２は、アドレス・クエリ構成要素２１０を導入することによって、第２の機能に対応するネットワーク・ノードの別のＩＰアドレス（および／または、ネットワーク・ノードに関連するその他任意のＩＰアドレス（単数または複数））を発見しうる。アドレス・クエリ構成要素２１０は、別のＩＰアドレスを取得するためにＤＮＳ２０６に問い合わせうる。さらに詳しくは、アドレス・クエリ構成要素２１０は、アドレス取得構成要素２０８を用いてＡＡＡ／ＨＳＳ２０４から取得したＩＰアドレスを、ＤＮＳ２０６への入力として利用しうる。
【００３４】
アドレス・クエリ構成要素２１０はさらに、リバース・クエリ構成要素２１２およびフォワード・クエリ構成要素２１４を含みうる。リバース・クエリ構成要素２１２は、（例えば、全指定ドメイン・ネーム（ＦＱＤＮ：Fully Qualified Domain Nameのような））ネームを決定するために、ＡＡＡ／ＨＳＳ２０４から取得したＩＰアドレス（あるいは、取得されたＩＰアドレスに基づいて構築されたストリング）を用いて、ＤＮＳ２０６のリバース・クエリを実行する。さらに、フォワード・クエリ構成要素２１４は、ＤＮＳ２０６のフォワード・クエリを有効にしうる。フォワード・クエリのための入力は、リバース・クエリ構成要素２１２によって取得されたネームでありうる。さらに、フォワード・クエリは、第２の機能に関連付けられたネットワーク・ノードのための別のＩＰアドレスを決定しうる。
【００３５】
無線通信構成要素２０２はさらに、登録構成要素２１６を含みうる。登録構成要素２１６は、アドレス・クエリ構成要素２１０で取得されたネットワーク・ノードの別のＩＰアドレスを含めるようにＡＡＡ／ＨＳＳ２０４を更新しうる。例えば、登録構成要素２１６は、第１の機能に関連付けられたＩＰアドレスを、ＡＡＡ／ＨＳＳ２０４内のアドレス・クエリ構成要素２１０によって生成された第２の機能に関連付けられた別のＩＰアドレスと交換しうる。別の例によれば、登録構成要素２１６によって、（例えば、ＰＤＮ  ＧＷのような）他の構成要素は、ＡＡＡ／ＨＳＳ２０４によって保持されたＩＰアドレス情報を更新できるようになる。
【００３６】
例によれば、（例えば、制御プレーン機能およびユーザ・プレーン機能のような）個別の機能のための２つのアドレスを備えたネットワーク・ノードは、以下に示すように、ＤＮＳ２０６内に保持されたレコードを有しうる。  
制御プレーン機能→１０．１．２．３  
ユーザ・プレーン機能→２０．４．５．６  
ネットワーク・ノードのためのさらなるレコードが、ＤＮＳ２０６内に格納されうる。さらなるレコードは、前述した例のために、２つのリバースＤＮＳエントリと、２つのフォワードＤＮＳエントリとを含みうる。実例として、リバースＤＮＳエントリは、以下を含みうる。  
３．２．１．１０．ｉｎ−ａｄｄｒ．ａｒｐａ→ＣＰｔｏＵＰ．Ｆｕｎｃｔｉｏｎ  
６．５．４．２０．ｉｎ−ａｄｄｒ．ａｒｐａ→ＵＰｔｏＣＰ．Ｆｕｎｃｔｉｏｎ  
さらに、ＤＮＳ２０６に保持された追加のフォワードＤＮＳエントリは、以下を含みうる。  
ＣＰｔｏＵＰ．Ｆｕｎｃｔｉｏｎ→２０．４．５．６  
ＵＰｔｏＣＰ．Ｆｕｎｃｔｉｏｎ→１０．１．２．３  
この例によれば、無線通信構成要素２０２は、アドレス取得構成要素２０８を導入することにより、ネットワーク・ノードに関連付けられたＩＰアドレス（例えば、１０．１．２．３または２０．４．５．６）のうちの１つを、ＡＡＡ／ＨＳＳ２０４から取得しうる。例示目的のために、ＩＰアドレス１０．１．２．３は、ＡＡＡ／ＨＳＳ２０４から取得されると仮定する。しかしながら、権利主張される主題要件は、そのように限定されないことが認識されるべきである。ネットワーク・ノードに対応する別のＩＰアドレスを発見するために、無線通信構成要素２０２は、リバース・ルックアップを有効にするためにリバース・クエリ構成要素２１２を利用しうる。さらに詳しくは、１０．１．２．３のリバース・ルックアップのクエリのための入力が、取得されたＩＰアドレスである１０．１．２．３に応じて、リバース・クエリ構成要素２１２によって構築されうる。例えば、リバース・クエリのための構築された入力は、３．２．１．１０．ｉｎ−ａｄｄｒ．ａｒｐａでありうる。それに応答して、ＤＮＳ２０６は、例えばＣＰｔｏＵＰ．Ｆｕｎｃｔｉｏｎのようなストリングを返しうる。さらに、フォワード・クエリ構成要素２１４は、リバース・クエリ構成要素２１２によって取得されたストリング（例えば、ＣＰｔｏＵＰ．Ｆｕｎｃｔｉｏｎ）を、ＤＮＳ２０６のダイレクト・クエリのための入力として適用しうる。これは、ネットワーク・ノードに対応する他のＩＰアドレス、２０．４．５．６を決定する。しかしながら、権利主張される主題は、前述した例に限定されないと考えらえる。そうではなく、任意の数のＩＰアドレスが、特定のネットワーク・ノードに関連付けられ、そのようなＩＰアドレスに対応する任意のネーム（例えば、ストリング）がＤＮＳ２０６内に保持され、ＩＰアドレスは、（例えばプロトコルのような）任意の機能に関連しており、実質的に任意の方式でクエリが定式化される等が認識されるべきである。
【００３７】
次に図３に示すように、無線通信環境においてアドレス転送を利用するシステム３００が例示される。例えば、システム３００は、イボルブド・パケット通信（ＥＰＳ）ネットワーク・アーキテクチャを導入しうる。しかしながら、権利主張された主題は、それには限定されない。システム３００は、コア・ネットワークを含みうる。図示する例によれば、コア・ネットワークは、ＡＡＡ／ＨＳＳ２０４、パケット・データネットワーク・ゲートウェイ（ＰＤＮ  ＧＷ）３０２、サービス提供ゲートウェイ（ＳＧＷ）（例えば、ＧＴＰ  ＳＧＷ３０４およびＰＭＩＰ  ＳＧＷ３０６）および、モビリティ管理エンティティ（ＭＭＥ）３０８を含みうる。さらに、システム３００は、３ＧＰＰアクセス・ネットワークおよび非３ＧＰＰアクセス・ネットワークを含みうる。３ＧＰＰアクセス・ネットワークは、イボルブド・ノードＢ（ｅＮｏｄｅＢ、ｅＮＢ）３１０を含みうる。ｅＮＢという用語は、アクセス・ポイント、基地局、あるいは他のいくつかの用語として称されうることも認識されうる。さらに、非３ＧＰＰアクセス・ネットワークは、非３ＧＰＰゲートウェイ（非３ＧＰＰ  ＧＷ）３１２を含みうる。システム３００はさらに、モバイル・デバイス３１４を含みうる。これは、３ＧＰＰアクセス・ネットワークおよび／または非３ＧＰＰアクセス・ネットワークに接続しうる。システム３００は一例として示されるものと認識されるべきであり、権利主張された主題は、この例に限定されない。
【００３８】
システム３００は、ノード間のさまざまなインタフェースを含む。例えば、Ｓ６ｃインタフェースは、ＰＤＮ  ＧＷ３０２とＡＡＡ／ＨＳＳ２０４とを接続し、Ｓ６ａインタフェースは、ＭＭＥ３０８とＡＡＡ／ＨＳＳ２０４とを接続しうる。さらに、ＳＧＷ３０４およびＰＤＮ  ＧＷ３０２は、Ｓ５／Ｓ８  ＧＴＰインタフェースを経由して接続され、ＳＧＷ３０６およびＰＤＮ  ＧＷ３０２は、Ｓ５／Ｓ８  ＰＭＩＰインタフェースを経由して接続されうる。さらに、Ｓ１−Ｕインタフェースは、ｅＮＢ３１０とＳＧＷ３０４とを接続し、Ｓ１１インタフェースは、ＳＧＷ３０４とＭＭＥ３０８とを接続し、Ｓ１−ＭＭＥインタフェースは、ｅＮＢ３１０とＭＭＥ３０８とを接続しうる。非３ＧＰＰ  ＧＷ３１２およびＰＤＮ  ＧＷ３０２は、Ｓ２ａインタフェースを経由して接続されうる。さらに、Ｓ２ｃインタフェースは、モバイル・デバイス３１４とＰＤＮ  ＧＷ３０２との間のダイレクトな通信のために利用されうる。
【００３９】
ＰＤＮ  ＧＷ３０２は、（図示しない）外部パケット・データ・ネットワーク（ＰＤＮ）（例えば、インターネット、ＩＰマルチメディア・サブシステム（ＩＭＳ））とインタフェースしうる。ＰＤＮ  ＧＷ３０２は、例えば、アドレス割当、ポリシー施行、パケット分類、およびルーティング等を取り扱いうる。さらに、ＰＤＮ  ＧＷ３０２は、複数のＩＰアドレスに関連付けられうる。
【００４０】
さまざまな例のシナリオが、従来技術を利用する場合に一般に遭遇する問題を例示しうる。ある例のシナリオによれば、モバイル・デバイス３１４は、３ＧＰＰアクセス・ネットワークに接続しうる。例えば、３ＧＰＰアクセスは、ＧＴＰ  ＳＧＷ３０４によってサービス提供されうる（例えば、ＳＧＷ３０４は、ネットワーク・ベースのモビリティ・プロトコルとしてＧＴＰを実施しうる）。接続すると、ＭＭＥ３０８は、ＧＰのための論理アンカ（例えば、終了ポイント、アンカ・ポイント）としてＰＤＮ  ＧＷ３０２を選択しうる。さらに、ＭＭＥ３０８は、ＡＡＡ／ＨＳＳ２０４において、ＰＤＮ  ＧＷ３０２に関連付けられたＩＰアドレスを登録しうる。ＭＭＥ３０８によって登録されたＩＰアドレスは、ＰＤＮ  ＧＷ３０２のための（例えば、ＧＴＰ−Ｃ手順で使用される）制御プレーン・アドレスでありうる。その後、モバイル・デバイス３１４は、（例えば、Ｓ２ａインタフェースを経由して）ＰＭＩＰが使用される非３ＧＰＰアクセスへハンドオーバしうる。非３ＧＰＰ  ＧＷ３１２は、モビリティ・プロトコルのための更新メッセージ（例えば、ＰＭＩＰで送信されたプロキシ・バインディング・アップデート（ＰＢＵ）のような登録メッセージ）を送信するために、ＰＤＮ  ＧＷ３０２のＩＰアドレスを要求しうる。従来技術は、一般に、ＡＡＡ／ＨＳＳ２０４から、ＰＤＮ  ＧＷ３０２のＩＰアドレスを取得することを含む。しかしながら、この例によれば、ＡＡＡ／ＨＳＳ２０４に保持されたＰＤＮ  ＧＷ３０２のＩＰアドレスは、（例えば、ＧＴＰ−Ｃアドレスのような）ＧＴＰの制御プレーン・アドレスである。これは、非３ＧＰＰ  ＧＷ３１２を意図していない。むしろ、非３ＧＰＰ  ＧＷ３１２は、ＰＭＩＰのために、ＰＤＮ  ＧＷ３０２のＩＰアドレスを必要とする。しかしながら、従来技術は、ＰＤＮ  ＧＷ３０２に対応するその他のＩＰアドレスを取得するための適切な手法を提供することができない。
【００４１】
従来のアプローチに関連付けられた欠点を示す別の例のシナリオによれば、モバイル・デバイス３１４は、非３ＧＰＰアクセス・ネットワークに接続しうる。例えば、クライアント・ベースのモビリティ（例えば、ＭＩＰ）が使用されうる。さらに、Ｓ２ｃインタフェースが、ＭＩＰに関連して使用されうる。ＭＩＰを使用している場合、モバイル・デバイス３１４は、ＰＤＮ  ＧＷ３０２を選択し、選択されたＰＤＮ  ＧＷ３０２のＩＰアドレスは、（例えば、ホーム・エージェント（ＨＡ）ＩＰアドレスのような）公的に利用可能なアドレスでありうる。その後、モバイル・デバイス３１４は、ＰＤＮ  ＧＷ３０２に登録し、ＰＤＮ  ＧＷ３０２は、ＡＡＡ／ＨＳＳ２０４において、ＨＡ  ＩＰアドレスを登録しうる。モバイル・デバイス３１４は、その後、ＧＴＰが使用されうる場合、３ＧＰＰアクセスへハンドオーバしうる。そのようなアクセスは、ホーム・リンクと考えられうる。さらに、ＭＭＥ３０８は、ＰＤＮ  ＧＷ３０２を発見することを試みうる。ＭＭＥ３０８は、ＰＤＮ  ＧＷ３０２とのベアラを生成することを試みる。例えば、ＭＭＥ３０８は、ＡＡＡ／ＨＳＳ２０４から、登録済ＩＰアドレスを取得しうる。しかしながら、取得されたＩＰアドレスは、ＰＤＮ  ＧＷ３０２に関連付けられたＧＴＰの制御プレーンＩＰアドレス（例えば、ＧＴＰ−Ｃアドレス）ではなく、ＰＤＮ  ＧＷ３０２のためのＨＡ  ＩＰアドレスでありうる。ＭＭＥ３０８は、ＰＤＮ  ＧＷ３０２とのベアラを生成するために、ＧＴＰ−Ｃアドレスを必要としうる。したがって、従来技術は、そのようなシナリオに不適切にしか対処できない。
【００４２】
前述した例のシナリオに例示するように、システム３００の別の構成要素は、特定のノード（例えば、ＰＤＮ  ＧＷ３０２構成要素）に対応する別のＩＰアドレスを使用しうる。したがって、ＡＡＡ／ＨＳＳ２０４においてＰＤＮ  ＧＷ３０２のＩＰアドレスのサブセットを格納することは、不適切でありうる。さらに、おのおののノードに関連付けられたすべてのＩＰアドレスを格納すること（例えば、ＰＤＮ  ＧＷ３０２に対応するすべてのＩＰアドレスをＡＡＡ／ＨＳＳ２０４に保持すること）によって、ＡＡＡ／ＨＳＳ２０４に保持される、ＡＡＡ／ＨＳＳ２０４に送信される、あるいは、ＡＡＡ／ＨＳＳ２０４から受信される情報量が実質的に増加する。
【００４３】
対照的に、本明細書に記載された技術によって、ＡＡＡ／ＨＳＳ２０４から取得した、システム３００のノード（例えば、ＰＤＮ  ＧＷ３０２）に関連付けられた第１のＩＰアドレスを導入し、このノードに対応する別のＩＰアドレスを識別することが可能となる。例えば、ネームを決定するために、ＡＡＡ／ＨＳＳ２０４から取得した（例えば、ＰＤＮ  ＧＷ３０２のような）ノードのＩＰアドレスに基づいて、リバースＤＮＳクエリが構築されうる。その後、リバースＤＮＳクエリを経由して返されたネームに基づいてフォワードＤＮＳクエリが定式化され、（例えば、ＰＤＮ  ＧＷ３０２のような）ノードの、別の、第２のＩＰアドレスが生成される。
【００４４】
アドレス転送は、以下の例のようなシナリオによって例示されうる。モバイル・デバイス３１４が、非３ＧＰＰアクセスによって接続している場合、ＰＤＮ  ＧＷ３０２のＨＡ  ＩＰアドレスを発見するために、公的なＤＮＳへの問い合わせ（クエリ）を実行しうる。例えば、フォワード・クエリの入力は、ＵｓｅｒＰｌａｎｅ．Ｆｕｎｃｔｉｏｎでありうる。それは、２０．４．５．６であるＰＤＮ  ＧＷ３０２のＨＡ  ＩＰアドレスを生成しうる。モバイル・デバイス３１４が、ＭＩＰ登録あるいはブートストラッピングを行なう場合、ＰＤＮ  ＧＷ３０２は、ＡＡＡ／ＨＳＳ  ２０４において、ＨＡ  ＩＰアドレス（例えば、２０．４．５．６）を格納しうる。その後、モバイル・デバイス３１４は、３ＧＰＰアクセスに移行しうる。３ＧＰＰアクセスへのモバイル・デバイス３１４のハンドオーバ後、ＭＭＥ３０８は、（例えば、図２のアドレス取得構成要素２０８を用いて）ＡＡＡ／ＨＳＳ２０４から（例えば、２０．４．５．６のような）ＨＡ  ＩＰアドレスを取得しうる。しかしながら、ＭＭＥ３０８は、ＨＡ  ＩＰアドレスを直接的に利用することはできない（例えば、ＭＭＥ３０８は、ＰＤＮ  ＧＷ３０２とのベアラを生成するために、制御プレーンＩＰアドレスを利用しうる）。したがって、ＭＭＥ３０８はさらに、（例えば、図２のリバース・クエリ構成要素２１２を導入して）ＨＡ  ＩＰアドレスに基づいて（例えば、図２のＤＮＳ２０６のような）ＤＮＳのリバース・クエリを実行しうる。これは、（例えば、ＦＱＤＮのような）具体的なネームを返す。実例として、リバース・クエリの入力は、６．５．４．２０．ｉｎ−ａｄｄｒ．ａｒｐａであり、生成されたネームは、ＵＰｔｏＣＰ．Ｆｕｎｃｔｉｏｎでありうる。さらに、ＭＭＥ３０８は、リバース・クエリに応じて取得されたネームを入力として用いて、（例えば、図２のフォワード・クエリ構成要素２１４を用いて）ＤＮＳのフォワード・クエリを実行しうる。そして、フォワード・クエリは、制御プレーンＩＰアドレスを返しうる。例によれば、ＵＰｔｏＣＰ．Ｆｕｎｃｔｉｏｎは、制御プレーンＩＰアドレスを１０．１．２．３と決定しうる。その後、制御プレーンＩＰアドレス（例えば、１０．１．２．３）が、ＧＴＰベアラをセット・アップするために利用されうる。さらに、ＭＭＥ３０８は、ＰＤＮ  ＧＷ３０２の制御プレーンＩＰアドレスを含めるようにＡＡＡ／ＨＳＳ２０４を更新しうる。しかしながら、権利主張される主題は、前述したシナリオの例に限定されないことが認識されるべきである。
【００４５】
前述した例と同様に、制御プレーンＩＰアドレスは、ＰＤＮ  ＧＷ３０２のローカル・モビリティ・アンカー（ＬＭＡ）ＩＰアドレスに変換されうる。モバイル・デバイス３１４は、３ＧＰＰアクセスによって接続し、ＭＭＥ３０８は、ＰＤＮ  ＧＷ３０２を選択し、ＡＡＡ／ＨＳＳ２０４において、ＰＤＮ  ＧＷ３０２の制御プレーンＩＰアドレスを登録しうる。その後、モバイル・デバイス３１４は、ＰＭＩＰを用いて、非３ＧＰＰアクセスに移行しうる。したがって、非３ＧＰＰ  ＧＷ３１２は、ＡＡＡ／ＨＳＳ２０４から、ＰＤＮ  ＧＷ３０２の制御プレーン・ＩＰアドレスを取得しうる。非３ＧＰＰ  ＧＷ３１２は、制御プレーンＩＰアドレスに基づいて、ＤＮＳのリバース・クエリを有効にしうる。これは、具体的なネーム（例えば、ＣＰｔｏＵＰ．Ｆｕｎｃｔｉｏｎ）を決定しうる。さらに、非３ＧＰＰ  ＧＷ３１２は、リバース・クエリによって取得された特定のネームを入力として用いて、ＤＮＳのフォワード・クエリを実行しうる。フォワード・クエリは、ＰＤＮ  ＧＷ３０２のためのＬＭＡ  ＩＰアドレスを返す。しかし、権利主張された主題はそれには限定されない。
【００４６】
さらに、本明細書に記載されたアドレス転送は、２より多いＩＰアドレスを持つノードとの接続に適用されうることが考慮される。例えば、ノードは、おのおの異なる機能のために、２より多いＩＰアドレスに関連付けられうる。例示によれば、個別の機能のために２より多いアドレスを有するエンティティの例は、例えば以下のようなＤＮＳレコードを有しうる。  
ＣｏｎｔｒｏｌＰｌａｎｅ．Ｆｕｎｃｔｉｏｎ．１→１０．１．２．３  
ＣｏｎｔｒｏｌＰｌａｎｅ．Ｆｕｎｃｔｉｏｎ．２→１０．１．２．４  
ＵｓｅｒＰｌａｎｅ．Ｆｕｎｃｔｉｏｎ→２０．４．５．６  
さらに、リバースＤＮＳは、以下の通り、おのおのを共通ネームとして示しうる。  
３．２．１．１０．ｉｎ−ａｄｄｒ．ａｒｐａ→Ｆｕｎｃｔｉｏｎ＿Ｒｅｖ＿Ｎａｍｅ  
４．２．１．１０．ｉｎ−ａｄｄｒ．ａｒｐａ→Ｆｕｎｃｔｉｏｎ＿Ｒｅｖ＿Ｎａｍｅ  
６．５．４．２０．ｉｎ−ａｄｄｒ．ａｒｐａ→Ｆｕｎｃｔｉｏｎ＿Ｒｅｖ＿Ｎａｍｅ  
さらに、（例えば、フォワード・クエリ構成要素２１４に関連付けられた）レゾルバが、おのおのが特定の機能（例えばＣＰ１、ＣＰ２、ＵＰ）に対応する予め定められたプレフィクスを使用しうる。したがって、（例えば、使用されることが望まれる機能に基づいて選択された）予め定められたプレフィクスが、共通のネームに追加され、その組み合わせが、フォワードＤＮＳクエリの入力として使用されうる。フォワードＤＮＳレコードは、下記を含みうる。  
ＣＰ１．Ｆｕｎｃｔｉｏｎ＿Ｒｅｖ＿Ｎａｍｅ→１０．１．２．３  
ＣＰ２．Ｆｕｎｃｔｉｏｎ＿Ｒｅｖ＿Ｎａｍｅ→１０．１．２．４  
ＵＰ．Ｆｕｎｃｔｉｏｎ＿Ｒｅｖ＿Ｎａｍｅ→２０．４．５．６  
しかしながら、権利主張される主題は、前述した例に限定されないことが考慮される。
【００４７】
図４を参照して、共通のネットワーク・ノードのために複数のＩＰアドレスを用いるシステム４００の例が示される。システム４００は、アクセス・ネットワーク４０２およびコア・ネットワーク４０４を含みうる。アクセス・ネットワーク４０２はさらに、（例えば、ネットワーク・ノード１、ネットワーク・エンティティ１のような）ネットワーク構成要素１  ４０６を含み、  コア・ネットワーク４０４はさらに、（例えば、ネットワーク・ノード２、ネットワーク・エンティティ２のような）ネットワーク構成要素２  ４０８を含みうる。例示によれば、ネットワーク構成要素２  ４０８は、ＰＤＮ  ＧＷ（例えば、図３のＰＤＮ  ＧＷ３０２）でありうる。しかしながら、権利主張された主題は、それには限定されない。さらに、システム４００は、モバイル・デバイス３１４を含みうる。
【００４８】
ネットワーク構成要素２  ４０８は、複数のＩＰアドレスに関連付けられうる。例えば、制御プレーンＩＰアドレス（例えば、ＩＰアドレス１）およびユーザ・プレーン・ＩＰアドレス（例えばＩＰアドレス２）が、ネットワーク構成要素２  ４０８に対応しうる。一例として、ネットワーク構成要素１  ４０６は、ネットワーク構成要素２  ４０８のために、制御プレーンを経由してＩＰアドレス１へＧＴＰ更新版を送信しうる。別の例によれば、モバイル・デバイス３１４は、ユーザ・プレーンによって、ネットワーク構成要素２  ４０８のためにＩＰアドレス２へＭＩＰメッセージを送信しうる。しかしながら、権利主張された主題は、前述した例に限定されず、システム４００は、単に例示目的のために示されたものであることが考慮される。
【００４９】
図５は、無線通信環境において、ノードのＩＰアドレス（単数または複数）を識別することを容易にする無線通信構成要素２０２を含むシステム５００の実例である。無線通信構成要素２０２は、（例えば、図３のＭＭＥ３０８である）ＭＭＥ（あるいはその一部）、（例えば図３の非３ＧＰＰ  ＧＷ３１２である）非３ＧＰＰ  ＧＷ（あるいはその一部）等でありうる。さらに、無線通信構成要素２０２は、アドレス取得構成要素２０８、アドレス・クエリ構成要素２１０、および登録構成要素２１６を含みうる。図示していないが、アドレス・クエリ構成要素２１０はさらに、リバース・クエリ構成要素（例えば図２のリバース・クエリ構成要素２１２）、および／または、フォワード・クエリ構成要素（例えば図２のフォワード・クエリ構成要素２１４）を含みうることが認識されるべきである。
【００５０】
無線通信構成要素２０２はさらに、プロセッサ５０２を含みうる。プロセッサ５０２は、無線通信構成要素２０２の１または複数の構成要素の制御、無線通信構成要素２０２による送信のための情報の生成、無線通信構成要素２０２によって受信された情報の分析などを行うプロセッサでありうる。
【００５１】
無線通信構成要素２０２はさらに、メモリ５０４を備えうる。このメモリは、プロセッサ５０２と動作可能に接続され、送信されるべきデータ、受信したデータ、ＤＮＳクエリに関連する情報、ＩＰアドレス（単数または複数）、および／または、その他任意の適切な情報を格納しうる。メモリ５０４はさらに、ＡＡＡ／ＨＳＳからＩＰアドレスを取得すること、リバースＤＮＳクエリおよびフォワードＤＮＳクエリを構築すること、通信を送信すること、ＡＡＡ／ＨＳＳにおいてＩＰアドレスを登録することなどに関連付けられたプロトコルおよび／またはアルゴリズムを格納しうる。
【００５２】
本明細書に記載されたデータ・ストア（例えば、メモリ５０４）は、揮発性メモリであるか、あるいは不揮発性メモリである。あるいは、揮発性メモリと不揮発性メモリとの両方を含みうることが認識されるだろう。限定ではなく例示によって、不揮発性メモリは、読取専用メモリ（ＲＯＭ）、プログラマブルＲＯＭ（ＰＲＯＭ）、電子的プログラマブルＲＯＭ（ＥＰＲＯＭ）、電子的消去可能ＰＲＯＭ（ＥＥＰＲＯＭ）、あるいはフラッシュ・メモリを含みうる。揮発性メモリは、外部キャッシュ・メモリとして動作するランダム・アクセス・メモリ（ＲＡＭ）を含みうる。限定ではなく例示によって、ＲＡＭは、例えばシンクロナスＲＡＭ（ＳＲＡＭ）、ダイナミックＲＡＭ（ＤＲＡＭ）、シンクロナスＤＲＡＭ（ＳＤＲＡＭ）、ダブル・データ・レートＳＤＲＡＭ（ＤＤＲ  ＳＤＲＡＭ）、エンハンストＳＤＲＡＭ（ＥＳＤＲＡＭ）、シンクリンクＤＲＡＭ（ＳＬＤＲＡＭ）、およびダイレクト・ラムバスＲＡＭ（ＤＲＲＡＭ）のような多くの形態で利用可能である。主題となるシステムおよび方法のメモリ５０４は、限定される訳ではないが、これらおよびその他任意の適切なタイプのメモリを備えることが意図される。
【００５３】
図６乃至図８を参照して、複数のＩＰアドレスを備えたノードのためのアドレス転送に関連する方法が例示される。説明を単純にする目的で、これら方法は、一連の動作として示され説明されているが、これら方法は、１または複数の実施形態にしたがって、幾つかの動作が本明細書で示され記載されたものとは異なる順序で、あるいは他の動作と同時に生じうるので、動作の順序によって限定されないことが理解され認識されるべきである。例えば、当業者であれば、これら方法はその代わりに、例えば状態図におけるように、一連の相互関連する状態またはイベントとして表されうることを理解し認識するだろう。さらに、１または複数の実施形態にしたがって方法を実現するために、必ずしも例示された全ての動作が必要とされる訳ではない。
【００５４】
図６に移って、無線通信環境において、複数のＩＰアドレスを備えたノードのインターネット・プロトコル（ＩＰ）アドレスを取得することを容易にする方法６００が例示される。６０２では、ノードについて以前に登録されたインターネット・プロトコル（ＩＰ）アドレスが、認証、課金、および許可／ホーム加入者サーバ（ＡＡＡ／ＨＳＳ）から取得されうる。以前に登録されたＩＰアドレスは、例えば、第１の機能のために利用されうる。この第１の機能は、第１のタイプのアクセス（例えば、３ＧＰＰアクセス、非３ＧＰＰアクセス）に関連して適用されうる。実例によれば、ノードについて以前に登録されたＩＰアドレスは、モバイル・デバイスが第２のタイプのアクセスへハンドオーバする（例えば、３ＧＰＰアクセスから非３ＧＰＰアクセスへ移行する、非３ＧＰＰアクセスから３ＧＰＰアクセスへ移行する）ことに応じて取得されうる。さらに、ＡＡＡ／ＨＳＳは、ノードに対応する１つのＩＰアドレスを保持することができる。一方、ノードは、複数のＩＰアドレス（例えば、２つのＩＰアドレス、２より多くのＩＰアドレス）に関連付けられうる。さらに、ノードの複数のＩＰアドレスのおのおのは、異なる機能に対応しうる。一例によれば、ノードは、パケット・データ・ネットワーク・ゲートウェイ（ＰＤＮ  ＧＷ）になりえる。しかしながら、権利主張された主題は、それには限定されない。６０４では、ノードについて既に登録されたＩＰアドレスに基づいて構築されたドメイン・ネーム・サーバ（ＤＮＳ）のリバース・クエリが実行される。リバース・クエリは、ネーム（例えば、全指定ドメイン・ネーム（ＦＱＤＮ））を決定しうる。６０６では、ネームに基づいて生成されたＤＮＳのフォワード・クエリに応じて、このノードの別のＩＰアドレスが受け取られる。この別のＩＰアドレスは、さらに、第２の機能のために使用されうる。第２の機能は、例えば、第２のタイプのアクセスに関連して利用されうる。さらに、この別のＩＰアドレスを用いて、ノードとの通信が有効とされうる。例によれば、以前に登録されたＩＰアドレスおよび／または別のＩＰアドレスは、ＩＰｖ４アドレスでありうる。ＩＰｖ４アドレスはおのおのの、フォワード・クエリのためのＡリソース・レコードによって、ＤＮＳ内で表わされうる。別の例によれば、以前に登録されたＩＰアドレスおよび／または別のＩＰアドレスは、ＩＰｖ６アドレスでありうる。ここでは、ＩＰｖ６アドレスはおのおの、フォワード・クエリのためのＡＡＡＡリソース・レコードによって、ＤＮＳ内で表されうる。以前に登録されたＩＰアドレスおよび別のＩＰアドレスは、同じタイプのアドレス（例えば、両方ともＩＰｖ４アドレス、または、両方ともＩＰｖ６アドレス）であるか、異なるタイプのアドレス（例えば、一方がＩＰｖ４アドレスであり、他方がＩＰｖ６アドレスである）ことが考慮される。
【００５５】
一例によれば、第１の機能は、制御プレーン機能であり、第２の機能は、ユーザ・プレーン機能でありうる。別の例として、第１の機能は、ユーザ・プレーン機能であり、第２の機能は、制御プレーン機能でありうる。さらなる例によれば、第１の機能と第２の機能とは、異なる制御プレーン機能でありうる。しかしながら、権利主張される主題は、前述した例に限定されないことが認識されるべきである。
【００５６】
一例によれば、方法６００は、非３ＧＰＰゲートウェイによって有効とされうる。したがって、モバイル・デバイスは、３ＧＰＰアクセスから非３ＧＰＰアクセスへハンドオーバしうる。さらに、ＡＡＡ／ＨＳＳから取得された以前に登録されたＩＰアドレスは、ＰＤＮ  ＧＷの制御プレーンＩＰアドレス（例えばＧＴＰ−Ｃアドレス）でありうる。さらに、ＤＮＳから受け取った別のアドレスは、ＰＤＮ  ＧＷのユーザ・プレーンＩＰアドレスでありうる。ＡＡＡ／ＨＳＳが、ユーザ・プレーンＩＰアドレスを含めるように更新されうるか、および／または、ユーザ・プレーンＩＰアドレスが、非３ＧＰＰゲートウェイによって適用されうる。
【００５７】
さらなる例として、方法６００は、モビリティ管理エンティティ（ＭＭＥ）によって実行されうる。この例によれば、モバイル・デバイスは、非３ＧＰＰアクセスから３ＧＰＰアクセスへ移行しうる。さらに、ＡＡＡ／ＨＳＳから取得された以前に登録されたＩＰアドレスは、ＰＤＮ  ＧＷのユーザ・プレーンＩＰアドレス（例えば、ホーム・エージェント（ＨＡ）ＩＰアドレス）でありうる。さらに、ＤＮＳから受け取った別のＩＰアドレスは、ＰＤＮ  ＧＷの制御プレーンＩＰアドレスでありうる。制御プレーンＩＰアドレスは、例えば、（例えば制御プレーンＩＰアドレスが、ＧＴＣ−Ｃアドレスである場合）ＧＰＲＳトンネリング・プロトコル（ＧＴＰ）ベアラを初期化するために使用されうる。さらに、あるいは、その代わりに、ＡＡＡ／ＨＳＳが、制御プレーンＩＰアドレスを保持するように更新されうる。
【００５８】
図７を参照して、無線通信環境内のネットワーク構成要素（例えばノード）に関連付けられたインターネット・プロトコル（ＩＰ）アドレス情報を更新することを容易にする方法７００が例示される。７０２では、モバイル・デバイスによる、第１のタイプのアクセスによる接続から、第２のタイプのアクセスによる接続へのハンドオーバが認識されうる。例えば、モバイル・デバイスは、３ＧＰＰアクセスと非３ＧＰＰアクセスとの間を移行しうる。７０４では、認証、課金、および許可／ホーム加入者サーバ（ＡＡＡ／ＨＳＳ）において格納されたネットワーク構成要素の第１のインターネット・プロトコル（ＩＰ）アドレスが収集されうる。第１のＩＰアドレスは、例えば、第１のタイプのアクセスで使用された第１のモビリティ・プロトコルのために利用されうる。ネットワーク構成要素は、例えば、パケット・データ・ネットワーク・ゲートウェイ（ＰＤＮ  ＧＷ）でありうるが、権利主張された主題は、それに限定されない。さらに、第１のＩＰアドレスは、例えばモバイル・デバイスによるハンドオーバの認識に応じて収集されうる。７０６では、ネットワーク構成要素の第２のＩＰアドレスが、第１のＩＰアドレスを入力として導入しているドメイン・ネーム・サーバ（ＤＮＳ）のリバース・クエリとフォワード・クエリの組み合わせを適用することによって取得されうる。さらに、第２のＩＰアドレスは、第２のタイプのアクセスと共に使用される第２のモビリティ・プロトコルのために利用されうる。７０８では、ネットワーク構成要素の第２のＩＰアドレスが、ＡＡＡ／ＨＳＳにおいて登録されうる。
【００５９】
図８を参照して、無線通信環境において、２より多いＩＰアドレスを含むノードのインターネット・プロトコル（ＩＰ）アドレスを認識することを容易にする方法８００が例示される。８０２では、ノードとともに適用されるターゲット機能が選択されうる。例えば、ターゲット機能は、制御プレーン機能、ユーザ・プレーン機能等でありうる。８０４では、選択されたターゲット機能に基づいて、予め定められたプレフィクスのセットから、予め定められた特定のプレフィクスが選択されうる。ノードのためのユニークなＩＰアドレスを備えたおのおのの機能は、セット内の予め定められたそれぞれのプレフィクスに関連付けられうる。８０６では、ノードに以前に登録され、別の機能のために使用されるＩＰアドレスに基づいて構築されたリバース・クエリに応じて、ドメイン・ネーム・サーバ（ＤＮＳ）から、共通のネームが受け取られうる。例えば、以前に登録されたＩＰアドレスは、認証、課金および許可／ホーム加入者サーバ（ＡＡＡ／ＨＳＳ）から取得されうる。８０８では、ターゲット機能に対応するノードの別のＩＰアドレスが、ＤＮＳのフォワード・クエリに応じて取得されうる。さらに、フォワード・クエリは、予め定められた特定のプレフィクスおよび共通のネームを含めるように構成されうる。
【００６０】
本明細書に記載された１または複数の態様によれば、無線通信環境において、複数のＩＰアドレスを備えたノードのためにＩＰアドレスを転送することに関して推論がなされうることが認識されるだろう。本明細書で使用されるように、「推論する」または「推論」なる用語は一般に、イベントおよび／またはデータによって取得されたような観察のセットから、システム、環境、および／または、ユーザの状態の推論あるいはそれらに関する推理のプロセスを称する。推論は、特定の文脈または動作を特定するために適用されるか、あるいは、例えば状態にわたる確率分布を生成しうる。推論は、確率論的、すなわち、データおよびイベントの考慮に基づいて、該当する状態にわたる確率分布を計算することでありうる。推論はまた、イベントおよび／またはデータのセットから、より高いレベルのイベントを構築するために適用される技術を称することができる。そのような推論によって、イベントが時間的に近接していようといまいと、これらイベントおよびデータが１または幾つかのイベント・ソースおよびデータ・ソースに由来していようと、観察されたイベントおよび／または格納されたイベント・データのセットから、新たなイベントまたは動作を構築することができる。
【００６１】
一例によれば、上述した１または複数の方法は、ノードに関連して適用されるターゲット機能を選択することに関して推論を行うことを含みうる。さらなる例によれば、リバースＤＮＳクエリとフォワードＤＮＳクエリとを組み合わせることを有効にするかを判定することに関して推論がなされうる。前述した例は本質的には例示的であり、本明細書に記載されたさまざまな実施形態および／または方法と連携してなされうる推論の数、あるいは、そのような推論がなされる方式を限定することは意図されていないことが認識されるだろう。
【００６２】
図９は、無線通信システム９００の例を示す。無線通信システム９００は、簡潔さの目的で、１つの基地局９１０と１つのモバイル・デバイス９５０とを示している。しかしながら、システム９００は、１より多い基地局、および／または、１より多いモバイル・デバイスを含むことができ、これら追加の基地局および／またはモバイル・デバイスは、以下に説明する基地局９１０およびモバイル・デバイス９５０の例と実質的に同じでも、別のものでもありうることが認識されるべきである。それに加えて、基地局９１０および／またはモバイル・デバイス９５０は、その間の無線通信を容易にするために、本明細書に記載されたシステム（図１乃至図５、図９および図１０）、および／または方法（図６乃至図８）を適用しうることが認識されるべきである。
【００６３】
基地局９１０では、多くのデータ・ストリームのためのトラフィック・データが、データ・ソース９１２から送信（ＴＸ）データ・プロセッサ９１４へ提供される。一例によれば、おのおののデータ・ストリームが、それぞれのアンテナを介して送信される。ＴＸデータ・プロセッサ９１４は、トラフィック・データ・ストリームをフォーマットし、このデータ・ストリームのために選択された特定の符合化スキームに基づいて符号化し、インタリーブして、符合化されたデータを提供する。
【００６４】
おのおののデータ・ストリームの符合化されたデータは、直交周波数分割多重化（ＯＦＤＭ）技術を用いてパイロット・データと多重化されうる。さらに、あるいは、その代わりに、パイロット・シンボルは、周波数分割多重化（ＦＤＭ）、時分割多重化（ＴＤＭ）、あるいは符号分割多重化（ＣＤＭ）されうる。パイロット・データは一般に、既知の方法で処理される既知のデータ・パターンであり、チャネル応答を推定するためにモバイル・デバイス９５０において使用されうる。おのおののデータ・ストリームについて多重化されたパイロットおよび符合化されたデータは、データ・ストリームのために選択された特定の変調スキーム（例えば、バイナリ・フェーズ・シフト・キーイング（ＢＰＳＫ）、直交フェーズ・シフト・キーイング（ＱＰＳＫ）、Ｍフェーズ・シフト・キーイング（Ｍ−ＰＳＫ）、Ｍ直交振幅変調（Ｍ−ＱＡＭ）等）に基づいて変調（例えば、シンボル・マップ）され、変調シンボルが提供される。おのおののデータ・ストリームのデータ・レート、符号化、および変調は、プロセッサ９３０によって実行または提供される命令によって決定されうる。
【００６５】
データ・ストリームの変調シンボルは、（例えば、ＯＦＤＭのために）変調シンボルを処理するＴＸ  ＭＩＭＯプロセッサ９２０に提供される。ＴＸ  ＭＩＭＯプロセッサ９２０はその後、ＮＴ個の変調シンボル・ストリームを、ＮＴ個の送信機（ＴＭＴＲ）９２２ａ乃至９２２ｔへ提供する。さまざまな実施形態において、ＴＸ  ＭＩＭＯプロセッサ９２０は、データ・ストリームのシンボル、および、そのシンボルが送信されるアンテナへ、ビームフォーミング重みを適用する。
【００６６】
おのおのの送信機９２２は、１または複数のアナログ信号を提供するために、それぞれのシンボル・ストリームを受信して処理し、さらには、ＭＩＭＯチャネルを介した送信に適切な変調信号を提供するために、このアナログ信号を調整（例えば、増幅、フィルタ、およびアップコンバート）する。さらに、送信機９２２ａ乃至９２２ｔからのＮＴ個の変調信号は、ＮＴ個のアンテナ９２４ａ乃至９２４ｔそれぞれから送信される。
【００６７】
モバイル・デバイス９５０では、送信された変調信号が、ＮＲ個のアンテナ９５２ａ乃至９５２ｒによって受信され、おのおののアンテナ９５２から受信した信号が、それぞれの受信機（ＲＣＶＲ）９５４ａ乃至９５４ｒへ提供される。おのおのの受信機９５４は、それぞれの信号を調整（例えば、フィルタ、増幅、およびダウンコンバート）し、この調整された信号をデジタル化してサンプルを提供し、さらにこのサンプルを処理して、対応する「受信された」シンボル・ストリームを提供する。
【００６８】
ＲＸデータ・プロセッサ９６０は、ＮＲ個の受信機９５４からＮＲ個のシンボル・ストリームを受信し、受信されたこれらシンボル・ストリームを、特定の受信機処理技術に基づいて処理して、ＮＴ個の「検出された」シンボル・ストリームを提供する。ＲＸデータ・プロセッサ９６０は、検出されたおのおののシンボル・ストリームを復調し、デインタリーブし、復号して、そのデータ・ストリームのためのトラフィック・データを復元する。ＲＸデータ・プロセッサ９６０による処理は、基地局９１０におけるＴＸ  ＭＩＭＯプロセッサ９２０およびＴＸデータ・プロセッサ９１４によって実行されるものと相補的である。
【００６９】
プロセッサ９７０は、上述したように、どの事前符合化行列を使用するのかを定期的に決定する。さらに、プロセッサ９７０は、行列インデクス部およびランク値部を備えた逆方向リンク・メッセージを規定することができる。
【００７０】
逆方向リンク・メッセージは、通信リンクおよび／または受信されたデータ・ストリームに関するさまざまなタイプの情報を備えうる。逆方向リンク・メッセージは、多くのデータ・ストリームに関するトラフィック・データをデータ・ソース９３６から受け取るＴＸデータ・プロセッサ９３８によって処理され、変調器９８０によって変調され、送信機９５４ａ乃至９５４ｒによって調整され、基地局９１０へ送り戻される。
【００７１】
基地局９１０では、モバイル・デバイス９５０からの変調信号が、アンテナ９２４によって受信され、受信機９２２によって調整され、復調器９４０によって復調され、ＲＸデータ・プロセッサ９４２によって処理されて、モバイル・デバイス９５０によって送信された逆方向リンク・メッセージが抽出される。さらに、プロセッサ９３０は、ビームフォーミング重みを決定するためにどの事前符合化行列を使用するかを決定するために、この抽出されたメッセージを処理する。
【００７２】
プロセッサ９３０およびプロセッサ９７０は、基地局９１０およびモバイル・デバイス９５０それぞれにおける動作を指示（例えば、制御、調整、管理等）する。プロセッサ９３０およびプロセッサ９７０はそれぞれ、プログラム・コードおよびデータを格納するメモリ９３２およびメモリ９７２に関連付けられうる。プロセッサ９３０およびプロセッサ９７０はまた、アップリンクおよびダウンリンクそれぞれのための周波数およびインパルス応答推定値を導出する計算をも実行する。
【００７３】
本明細書に記載された実施形態は、ハードウェア、ソフトウェア、ファームウェア、ミドルウェア、マイクロコード、あるいはこれらの任意の組み合わせで実現されうることが理解されるべきである。ハードウェアで実現する場合、処理ユニットは、１または複数の特定用途向けＩＣ（ＡＳＩＣ）、デジタル信号プロセッサ（ＤＳＰ）、デジタル信号処理デバイス（ＤＳＰＤ）、プログラム可能論理回路（ＰＬＤ）、フィールドプログラム可能ゲート・アレイ（ＦＰＧＡ）、プロセッサ、コントローラ、マイクロ・コントローラ、マイクロプロセッサ、本明細書に記載の機能を実行するために設計されたその他の電子ユニット、あるいはこれらの組み合わせ内に実装されうる。
【００７４】
これら実施形態が、ソフトウェア、ファームウェア、ミドルウェアあるいはマイクロコード、プログラム・コードあるいはコード・セグメントで実現される場合、これらは、例えば記憶素子のような機械読取可能媒体に格納されうる。コード・セグメントは、手順、機能、サブプログラム、プログラム、ルーチン、サブルーチン、モジュール、ソフトウェア・パッケージ、クラス、または、命令、データ構造、あるいはプログラム文からなる任意の組み合わせを表すことができる。コード・セグメントは、情報、データ、引数、パラメータ、あるいは記憶内容の引渡および／または受信を行うことによって、他のコード・セグメントまたはハードウェア回路に接続されうる。情報、引数、パラメータ、データ等は、メモリ共有、メッセージ引渡し、トークン引渡、ネットワーク送信等を含む任意の適切な手段を用いて引渡、転送、あるいは送信されうる。
【００７５】
ソフトウェアで実現する場合、本明細書に記載のこれら技術は、本明細書に記載の機能を実行するモジュール（例えば、手続き、機能等）を用いて実現されうる。ソフトウェア・コードは、メモリ・ユニット内に格納され、プロセッサによって実行されうる。メモリ・ユニットは、プロセッサ内部またはプロセッサ外部に実装されうる。プロセッサ外部に実装される場合、メモリ・ユニットは、当該技術分野で周知のさまざまな手段によってプロセッサと通信可能に接続されうる。
【００７６】
図１０に関して、無線通信環境において、複数のＩＰアドレスを備えたノードのためにインターネット・プロトコル（ＩＰ）アドレスを転送することを可能にするシステム１０００が例示される。例えば、システム１０００は、ゲートウェイ（例えば、非３ＧＰＰゲートウェイ）、モビリティ管理エンティティ（ＭＭＥ）等内に少なくとも部分的に存在しうる。システム１０００は、プロセッサ、ソフトウェア、またはそれらの組み合わせ（例えば、ファームウェア）によって実現される機能を表す機能ブロックでありうる機能ブロックを含むものとして示されることが認識されるべきである。システム１０００は、連携して動作しうる電子構成要素の論理グループ１００２を含む。例えば、論理グループ１００２は、ノードの取得されたインターネット・プロトコル（ＩＰ）アドレスに基づいて生成されたドメイン・ネーム・サーバ（ＤＮＳ）のリバース・クエリに応じてストリングを取得するための電子構成要素１００４を含みうる。さらに、論理グループ１００２は、ストリングに基づいて構成されたＤＮＳのフォワード・クエリに応じて、ノードの別のＩＰアドレスを受信するための電子構成要素１００６を含みうる。論理グループ１００２は、オプションとして、認証、課金、および許可／ホーム加入者サーバ（ＡＡＡ／ＨＳＳ）から取得したＩＰアドレスを収集するための電子構成要素１００８を含みうる。さらに、論理グループ１００２は、オプションとして、ノードの別のＩＰアドレスを含めるように、ＡＡＡ／ＨＳＳを更新するための電子構成要素１０１０を含みうる。さらに、システム１０００は、電子構成要素１００４、１００６、１００８、１０１０に関連付けられた機能を実行するための命令群を保持するメモリ１０１２を含みうる。メモリ１０１２の外側にあると示されているが、電子構成要素１００４、１００６、１００８、１０１０のうちの１または複数は、メモリ１０１２内に存在しうることが理解されるべきである。
【００７７】
本明細書で開示された実施形態に関連して記述されたさまざまな例示的なロジック、論理ブロック、モジュール、および回路は、汎用プロセッサ、デジタル信号プロセッサ（ＤＳＰ）、特定用途向け集積回路（ＡＳＩＣ）、フィールド・プログラマブル・ゲート・アレイ（ＦＰＧＡ）、あるいはその他のプログラマブル論理デバイス、ディスクリート・ゲートあるいはトランジスタ・ロジック、ディスクリート・ハードウェア構成要素、または上述された機能を実現するために設計された上記何れかの組み合わせを用いて実現または実施されうる。汎用プロセッサとしてマイクロプロセッサを用いることが可能であるが、代わりに、従来技術によるプロセッサ、コントローラ、マイクロ・コントローラ、あるいは順序回路を用いることも可能である。プロセッサは、例えばＤＳＰとマイクロプロセッサとの組み合わせ、複数のマイクロプロセッサ、ＤＳＰコアと連携する１または複数のマイクロプロセッサ、またはその他任意のこのような構成である計算デバイスの組み合わせとして実現することも可能である。それに加えて、少なくとも１つのプロセッサは、上述したステップおよび／または動作のうちの１または複数を実行するように動作可能な１または複数のモジュールを備えうる。
【００７８】
さらに、本明細書に開示された態様に関して記述された方法またはアルゴリズムのステップおよび／または動作は、ハードウェアによって直接的に、プロセッサによって実行されるソフトウェア・モジュールで、あるいは、これら２つの組み合わせによって具体化されうる。ソフトウェア・モジュールは、ＲＡＭメモリ、フラッシュ・メモリ、ＲＯＭメモリ、ＥＰＲＯＭメモリ、ＥＥＰＲＯＭメモリ、レジスタ、ハード・ディスク、リムーバブル・ディスク、ＣＤ−ＲＯＭ、あるいは、当該技術で周知のその他任意の形態の記憶媒体内に存在しうる。典型的な記憶媒体は、プロセッサに結合されており、これによって、プロセッサは、記憶媒体との間で情報を読み書きできるようになる。あるいは、この記憶媒体は、プロセッサに統合されうる。さらに、ある態様では、プロセッサと記憶媒体が、ＡＳＩＣ内に存在しうる。さらに、ＡＳＩＣは、ユーザ端末に存在することができる。あるいは、プロセッサおよび記憶媒体は、ユーザ端末内のディスクリートな構成要素として存在することができる。さらに、いくつかの態様では、方法またはアルゴリズムのステップおよび／または動作は、コードおよび／または命令群のうちの１つまたは任意の組み合わせまたはセットとして、機械読取可能媒体および／またはコンピュータ読取可能媒体上に存在しうる。これら媒体は、コンピュータ・プログラム製品に組み込まれうる。
【００７９】
１または複数の態様では、説明された機能が、ハードウェア、ソフトウェア、ファームウェア、またはこれらの任意の組み合わせで実現されうる。ソフトウェアで実現される場合、これら機能はコンピュータ読取可能媒体に格納されうるか、あるいは、コンピュータ読取可能媒体上の１または複数の命令群またはコードとして送信されうる。
【００８０】
コンピュータ読取可能媒体は、コンピュータ記憶媒体と通信媒体との両方を含む。これらは、コンピュータ・プログラムのある場所から別の場所への転送を容易にする任意の媒体を含む。記憶媒体は、コンピュータによってアクセスされる利用可能な任意の媒体でありうる。例として、限定することなく、そのようなコンピュータ読取可能媒体は、ＲＡＭ、ＲＯＭ、ＥＥＰＲＯＭ、ＣＤ−ＲＯＭまたはその他の光ディスク記憶装置、磁気ディスク記憶装置またはその他の磁気記憶デバイス、あるいは、所望のプログラム・コード手段を命令群またはデータ構造の形式で搬送または格納するために使用され、しかも、コンピュータによってアクセスされうるその他任意の媒体を備えうる。さらに、いかなる接続も、コンピュータ読取可能媒体と適切に称される。同軸ケーブル、光ファイバ・ケーブル、ツイスト・ペア、デジタル加入者線（ＤＳＬ）、あるいは、例えば赤外線、無線およびマイクロ波のような無線技術を使用して、ウェブサイト、サーバ、あるいはその他の遠隔ソースからソフトウェアが送信される場合、同軸ケーブル、光ファイバ・ケーブル、ツイスト・ペア、ＤＳＬ、あるいは、例えば赤外線、無線およびマイクロ波のような無線技術が、媒体の定義に含まれる。本明細書で使用されるｄｉｓｋおよびｄｉｓｃは、コンパクト・ディスク（ＣＤ）、レーザ・ディスク、光ディスク、デジタル・バーサタイル・ディスク（ＤＶＤ）、フロッピー（登録商標）ディスク、およびブルーレイ・ディスクを含む。通常、ｄｉｓｋは、データを磁気的に再生し、ｄｉｓｃは、レーザを用いて光学的にデータを再生する。上記の組み合わせもまた、コンピュータ読取可能媒体の範囲内に含まれるべきである。
【００８１】
前述した開示は、例示的な態様および／または実施形態を開示しているが、さまざまな変更および修正が、特許請求の範囲で定義されたような説明された態様および／または実施形態の範囲から逸脱することなくなされうることが注目されるべきである。さらに、説明された態様および／または実施の構成要素は、単数形で記載または特許請求されているが、もしも単数であると明示的に述べられていないのであれば、複数が考慮される。さらに、任意の態様および／または実施形態のすべてまたは一部は、特に述べられていないのであれば、その他任意の態様および／または実施形態のすべてまたは一部とともに利用されうる。
【図１】
2011521496.tif 000003
【図２】
2011521496.tif 000004
【図３】
2011521496.tif 000005
【図４】
2011521496.tif 000006
【図５】
2011521496.tif 000007
【図６】
2011521496.tif 000008
【図７】
2011521496.tif 000009
【図８】
2011521496.tif 000010
【図９】
2011521496.tif 000011
【図１０】
2011521496.tif 000012
【国際調査報告】
2011521496.tif 000013
2011521496.tif 000014